(57)【要約】【課題】本発明は、光通信や光計測等で使用される光フィルタ及び光フィルタモジュールに関し、透過波長特性の劣化が少なく、反射光を入射側に戻さない安価な光フィルタ及び光フィルタモジュールを提供することを目的とする。【解決手段】光フィルタ１は光を合分波する光フィルタ素子４と、光フィルタ素子４の光入射面側に配置され、常光に対する屈折率がｎｏで異常光に対する屈折率がｎｅであり、板厚がｄの第１の複屈折板２と、第１の複屈折板２の光学軸に直交する光学軸を有し、第１の複屈折板２に隣接して光フィルタ素子４の光入射面側に配置され、第１の複屈折板２と同一の屈折率ｎｏ、ｎｅ及び板厚ｄを有する第２の複屈折板３とを備え、第１及び第２の複屈折板２、３は、光の波長をλとし、任意の整数をＭとすると、２（ｎｏ−ｎｅ）ｄ＝（Ｍ＋１／２）λの関係式を満足するように構成する。【選択図】    図１
2004264739.tif 000002
【特許請求の範囲】
【請求項１】
光を合分波する光フィルタ素子と、
前記光フィルタ素子の光入射面側に配置され、常光に対する屈折率がｎｏで異常光に対する屈折率がｎｅであり、板厚がｄの第１の複屈折板と、
前記第１の複屈折板の光学軸に直交する光学軸を有し、前記第１の複屈折板に隣接して前記光フィルタ素子の光入射面側に配置され、前記第１の複屈折板と同一の屈折率ｎｏ、ｎｅ及び板厚ｄを有する第２の複屈折板とを備え、
前記第１及び第２の複屈折板は、光の波長をλとし、任意の整数をＭとすると、
２（ｎｏ−ｎｅ）ｄ＝（Ｍ＋１／２）λ
の関係式を満足すること
を特徴とする光フィルタ。
【請求項２】
請求項１記載の光フィルタにおいて、
前記第１の複屈折板を透過して前記光フィルタ素子で反射されて再び前記第１の複屈折板を透過した光と前記第２の複屈折板を透過して前記光フィルタ素子で反射されて再び前記第２の複屈折板を透過した光との相対的な光路差がλ／２であること
を特徴とする光フィルタ。
【請求項３】
請求項１又は２に記載の光フィルタにおいて、
前記第１の複屈折板の光学軸に直交する光学軸を有し、前記第１の複屈折板と対向して前記光フィルタ素子の光射出面側に配置され、前記第１の複屈折板と同一の屈折率ｎｏ、ｎｅ及び板厚ｄを有する第３の複屈折板と、
前記第２の複屈折板の光学軸に直交する光学軸を有し、前記第２の複屈折板と対向し且つ前記第３の複屈折板と隣接して前記光フィルタ素子の光射出面側に配置され、前記第１の複屈折板と同一の屈折率ｎｏ、ｎｅ及び板厚ｄを有する第４の複屈折板と
を有していることを特徴とする光フィルタ。
【請求項４】
請求項３記載の光フィルタにおいて、
前記第１の複屈折板、前記光フィルタ素子及び前記第３の複屈折板を透過した光と前記第２の複屈折板、前記光フィルタ素子及び前記第４の複屈折板を透過した光との光路長が等しいこと
を特徴とする光フィルタ。
【請求項５】
請求項１乃至４のいずれか１項に記載の光フィルタにおいて、
前記光フィルタ素子は誘電体多層膜であること
を特徴とする光フィルタ。
【請求項６】
請求項１乃至５のいずれか１項に記載の光フィルタにおいて、
前記第１乃至第４の複屈折板は１／４波長板であること
を特徴とする光フィルタ。
【請求項７】
光を合分波する光フィルタ素子及び複数の複屈折板を有する光フィルタと、
伝送された光を射出する第１の光伝送素子と、
入射された光を伝送する第２の光伝送素子と
を有していることを特徴とする光フィルタモジュール。
【請求項８】
請求項７記載の光フィルタモジュールにおいて、
前記光フィルタは請求項１乃至６のいずれか１項に記載の光フィルタであること
を特徴とする光フィルタモジュール。
【請求項９】
請求項８記載の光フィルタモジュールにおいて、
前記光フィルタは前記第１の光伝送素子と前記第２の光伝送素子との間に配置されていること
を特徴とする光フィルタモジュール。
【請求項１０】
請求項７乃至９のいずれか１項に記載の光フィルタモジュールにおいて、
前記第１及び第２の光伝送素子は光ファイバであること
を特徴する光フィルタモジュール。
【請求項１１】
請求項１０記載の光フィルタモジュールにおいて、
前記光ファイバは光出力端のモードフィールド径が拡大していること
を特徴する光フィルタモジュール。
【請求項１２】
請求項１０記載の光フィルタモジュールにおいて、
前記光ファイバはグレーデッドインデックス光ファイバが単一モード光ファイバの光軸上に配置されていること
を特徴する光フィルタモジュール。
【請求項１３】
請求項７乃至９のいずれか１項に記載の光フィルタモジュールにおいて、
前記第１及び第２の光伝送素子は光導波路であること
を特徴する光フィルタモジュール。
【請求項１４】
請求項１３記載の光フィルタモジュールにおいて、
前記光導波路は光出力端のモードフィールド径が拡大していること
を特徴する光フィルタモジュール。
【請求項１５】
請求項７乃至９のいずれか１項に記載の光フィルタモジュールにおいて、
前記第１の光伝送素子と前記光フィルタとの間、及び前記第２の光伝送素子と前記光フィルタとの間にさらにレンズを有していること
を特徴する光フィルタモジュール。
【発明の詳細な説明】
【０００１】
【発明の属する技術分野】
本発明は、光通信や光計測等で使用される光フィルタ及び光フィルタモジュールに関する。
【０００２】
【従来の技術】
光を合分波する誘電体多層膜を有している光フィルタは光通信システムで利用されている。光フィルタは入射光を透過光及び反射光に分波する機能や所定の光透過域又は光反射域のみの光を取り出す機能を有している。例えば、光通信システムの１つである波長多重分割伝送（Ｗａｖｅｌｅｎｇｔｈ  ＤｉｖｉｓｉｏｎＭｕｌｔｉｐｌｅｘｉｎｇ：ＷＤＭ）システムでは狭帯域バンドパスフィルタ（Ｎａｒｒｏｗ  Ｂａｎｄ  Ｐａｓｓ  Ｆｉｌｔｅｒ：ＮＢＰＦ）が使用されている。ＮＢＰＦには透過波長帯域の合わせ精度、低透過損失、反射域への急峻な変化及び透過帯域幅の高い平坦性等の高精度な波長特性が求められる。ＮＢＰＦを含む光学系に収束光又は発散光を入射させると、角度分布を有する光がＮＢＰＦを透過することになる。所定の波長に対して所定の誘電体層厚に積層された光学膜に光が斜めに透過すると、設計光路長と実際の光路長とが異なってしまうためＮＢＰＦの波長特性は変化する。従って、ＮＢＰＦの光学特性を劣化させないためには入射光の位相波面が比較的平坦な平行光（コリメート光）を入射させるのが一般的である。また、光フィルタ面での反射光を元の光路からずらすためには、所定の角度で光フィルタに光を入射させる必要があるので、一般に光フィルタは光の入射角度に合わせて設計される。しかし、ＮＢＰＦの場合には高精度な波長特性が要求されるので斜め入射型の設計及び製造は困難である。従って、ＮＢＰＦでは光を垂直に入射する垂直入射型が用いられている。
【０００３】
ところで、近年のインターネット等の普及に伴い、一般加入者宅まで光ファイバ通信網を構築して高速な通信環境を提供する計画（Ｆｉｂｅｒ  Ｔｏ  ＴｈｅＨｏｍｅ計画：ＦＴＴＨ計画）に代表されるアクセス系には高速大容量通信が可能なシステムが求められる。幹線系の高密度波長多重分割伝送（Ｄｅｎｓｅ  Ｗａｖｅｌｅｎｇｔｈ  Ｄｉｖｉｓｉｏｎ  Ｍｕｌｔｉｐｌｅｘｉｎｇ：ＤＷＤＭ）システムは高速大容量通信を可能とするが、高価な構成部品を必要とする。従って、ＤＷＤＭシステムと同様の構成でアクセス系のシステムを構築すると、システム全体の高コスト化に繋がってしまう。このため安価な部品で構成してシステムを低コスト化する低密度波長多重分割伝送（Ｃｏａｒｓｅ  Ｗａｖｅｌｅｎｇｔｈ  Ｄｉｖｉｓｉｏｎ  Ｍｕｌｔｉｐｌｅｘｉｎｇ：ＣＷＤＭ）等の提案がなされている。
【０００４】
【特許文献１】
特許第２６７０３１０号公報
【特許文献２】
特開平１１−２１８６１７号公報
【特許文献３】
特開平９−２１９１２号公報
【特許文献４】
特開平９−１０５８２４号公報
【特許文献５】
特開平１１−２７２５号公報
【０００５】
【発明が解決しようとする課題】
光通信システムを低コスト化する構成として、レンズ系を使用しない光フィルタモジュールが知られている。例えば、特許文献１及び２で開示されている光フィルタモジュールは、光射出口が対向した２本の光ファイバがフェルールコネクタに接着固定され、当該光ファイバ間に設けられた溝に光フィルタが挿入された形状を有している。当該光フィルタモジュールはレンズ系がない分だけ小型・低コスト化が可能である。光ファイバからの射出光は角度成分を有する発散光であるため、当該発散光をＮＢＰＦに直接入射すると、光フィルタの角度依存性により光フィルタモジュールの光学特性が劣化してしまう。この光学特性の劣化を改善するために、光学系にコア拡大光ファイバを用いた光ファイバモジュールが知られている（特許文献２参照）。コア拡大光ファイバからの射出光はモードフィールド径の拡大に伴って広がり角が小さくなり平行光に近付くため、ＮＢＰＦの光学特性の劣化を減少させる効果を有している。また、ＷＤＭ通信システムに用いられる光フィルタには、反射波長域を元の光路や別の光路に導く構成のものと、反射波長域を使用しないものがある。反射光を元の光路に戻さないシステムで用いられる光フィルタモジュールは、上記の構成でいうと、光路上に光フィルタを斜めに配置する必要がある。但し、光ファイバ及び光フィルタがフェルールコネクタに一体形成されているため、光路に対して光フィルタが斜めに挿入されると光軸ずれが生じ、透過波長域の接続損失が増大してしまう。
【０００６】
図７は、ＣＷＤＭシステムに使用される光フィルタモジュール３２の概念図を示している。図７（ａ）は、光フィルタモジュール３２の構成例を示している。光フィルタモジュール３２は単一モード光ファイバ（Ｓｉｎｇｌｅ  Ｍｏｄｅ  Ｆｉｂｅｒ：ＳＭＦ）である射出側光ファイバ３３を有している。さらに光フィルタモジュール３２は光フィルタとして特定波長の光を透過させるＮＢＰＦ３４を有している。ＮＢＰＦ３４は基板３５と基板３５上に形成された誘電体多層膜３６とを有している。またさらに光フィルタモジュール３２はＮＢＰＦ３４を透過した光（透過光４０）を受光して電気信号に変換するフォトダイオード（Ｐｈｏｔｏ  Ｄｉｏｄｅ：ＰＤ）３７を有している。ＮＢＰＦ３４は光入射面が光路に直交するようにして、射出側光ファイバ３３とＰＤ３７との間に設けられた不図示の溝に挿入されている。
【０００７】
射出側光ファイバ３３から射出した射出光３８は光フィルタ３４に入射する。図７（ｂ）は、横軸を光の波長とし縦軸を光強度として射出光３８の波長特性を例示している。図７（ｂ）に示すように射出光３８は広帯域で略一定の光強度を有している。ＮＢＰＦ３４に入射した射出光３８のうち特定波長帯域の光はＮＢＰＦ３４を透過してＰＤ３７で受光される。図７（ｃ）は、横軸を光の波長とし縦軸を光強度として透過光４０の波長特性を例示している。図７（ｃ）に示すように透過光４０は特定の波長帯域で強い光強度を有している。一方、当該特定波長帯域以外の光はＮＢＰＦ３４で反射して射出側光ファイバ３３に戻る。図７（ｄ）は、横軸を波長とし縦軸を光強度としてＮＢＰＦ３４で反射した光（反射光３９）の波長特性を例示している。図７（ｄ）に示すように反射光３９は上記特定波長帯域以外で強い光強度を有している。この反射光３９はクロストークの発生や、不図示の光源のレーザダイオードの発振を不安定にする要因となる。また、ＮＢＰＦ３４からの反射光３９を射出側光ファイバ３３に戻さないために光アイソレータ（不図示）を用いるとＣＷＤＭシステムが高価になってしまう。
【０００８】
図８は、ＮＢＰＦ３４からの反射光４１を射出側光ファイバ３３に戻さないために光フィルタモジュール４３の光路に対してＮＢＰＦ３４を斜めに配置した光フィルタモジュール４３の概念図を示している。なお、本説明において図７に示した光フィルタモジュール３２の構成要素及び同一の作用機能を奏する構成要素には同一の符号を付してその説明は省略する。
【０００９】
図８（ａ）は、ＮＢＰＦ３４を斜めに配置した光フィルタモジュール４３の構成例を示している。図８（ｂ）は、横軸を光の波長とし縦軸を光強度として射出側光ファイバ３３から射出される射出光４４の波長特性を例示している。図８（ｂ）に示すように射出光４４は広帯域で略一定の光強度を有している。図８（ａ）に示すようにＮＢＰＦ３４を斜めに配置すると射出側光ファイバ３３へ戻る反射光４１を減少させることができる。ところが、こうしてしまうと上述のように、ＮＢＰＦ３４の透過波長域の波長特性及び透過損失の劣化や光軸ずれによる接続損失増大の問題が生じてしまう。例えば、図８（ｃ）は、横軸を光の波長とし縦軸を光強度としてＮＢＰＦ３４を透過した光（透過光４２）の波長特性を例示している。図８（ｃ）に示すように透過光４２は特定波長域のみ強い光強度を有しているが透過波長帯域のシフト、帯域幅の減少が起こり、ＮＢＰＦ３４の光入射面を光路に直交するように配置した際の透過光４０の光強度より減少してしまう。このように、光フィルタモジュール３２、４３に設けた溝にＮＢＰＦ３４を埋め込む構成では光学系に依存する劣化要因が無視できず、特性劣化の増大はＣＷＤＭシステム設計において問題となる。
【００１０】
ＰＤ３７に代わって入射側光ファイバ（不図示）を用いた光フィルタモジュール３２、４３においても、光学系の光軸に対してＮＢＰＦ３４の光入射面を略直交させた場合は、射出側光ファイバ３３から入射側光ファイバへの光軸ずれを減少させて光を伝搬させることができる。しかし、ＮＢＰＦ３４表面やＮＢＰＦ３４内の誘電体多層膜３６の界面等で生じる反射光３９が射出側光ファイバ３３へ結合しやすく、高い反射減衰量を得ることは困難である。一方、反射光４１を低減するために、光学系の光軸に対してＮＢＰＦ３４の光入射面を斜めにした場合は、入射光４４がＮＢＰＦ３４で屈折して光軸ずれが生じるため入射側光ファイバの挿入損失が増大する。また、ＮＢＰＦ３４を斜めに設置するためには光フィルタモジュール４３に斜めに溝を設ける必要があり、光学系の形状の制約及び高コスト化の要因となる。
【００１１】
上述の通り、ＮＢＰＦ３４に代表される光フィルタの波長特性は入射角度依存性を有している。光軸に対して光フィルタの入射面を角度θだけ傾けて光の入射角を増加させると、光フィルタを通過する光の光路長は長くなる。しかし入射光と多重反射光との間で干渉を起こす光路長差はｃｏｓθだけ短くなり、光フィルタの波長特性は短波長側にシフトする。光束径の小さいコリメート系（微小光学系）ではＮＢＰＦ３４を傾けると無限多重反射でブロードニング（光の急激な広がり、波面変形）が生じる。ブロードニングは透過域の損失の増大や波長特性の劣化を引き起こす。
【００１２】
光通信システムに波長特性の劣化に対する設計マージンがあれば、光フィルタの光の入射角度による波長特性の劣化は大きな障害とならない。しかし反射光が光通信システムの安定性に障害を及ぼす場合は光フィルタによる反射を防止するために光フィルタを斜めに配置する必要が出てくる。この場合、入射角度依存性の小さい光フィルタを使用すれば波長特性の劣化を減らすことができ、光通信システムにおいて光フィルタの波長特性の劣化は大きな問題とならない。しかし、ＤＷＤＭ、ＣＷＤＭ等の光通信システムに使用されるＮＢＰＦ３４は入射角に対する波長特性劣化が大きいため、光フィルタへ垂直に光を入射することが要求される。
【００１３】
このように低損失で反射特性に優れ、さらに光学系の形状の制約や安価な光フィルタモジュールを得るためには光フィルタに対して略垂直に光を入射しながらも反射光を減らす必要がある。
【００１４】
本発明の目的は、透過波長特性の劣化が少なく、反射光を入射側に戻さない安価な光フィルタ及び光フィルタモジュールを提供することにある。
【００１５】
【課題を解決するための手段】
上記目的は、光を合分波する光フィルタ素子と、前記光フィルタ素子の光入射面側に配置され、常光に対する屈折率がｎｏで異常光に対する屈折率がｎｅであり、板厚がｄの第１の複屈折板と、前記第１の複屈折板の光学軸に直交する光学軸を有し、前記第１の複屈折板に隣接して前記光フィルタ素子の光入射面側に配置され、前記第１の複屈折板と同一の屈折率ｎｏ、ｎｅ及び板厚ｄを有する第２の複屈折板とを備え、前記第１及び第２の複屈折板は、光の波長をλとし、任意の整数をＭとすると、２（ｎｏ−ｎｅ）ｄ＝（Ｍ＋１／２）λの関係式を満足することを特徴とする光フィルタによって達成される。
【００１６】
上記本発明の光フィルタにおいて、前記第１の複屈折板を透過して前記光フィルタ素子で反射されて再び前記第１の複屈折板を透過する光と前記第２の複屈折板を透過して前記光フィルタ素子で反射されて再び前記第２の複屈折板を透過する光との相対的な光路差がλ／２であることを特徴とする。
【００１７】
上記本発明の光フィルタにおいて、  前記第１の複屈折板の光学軸に直交する光学軸を有し、前記第１の複屈折板と対向して前記光フィルタ素子の光射出面側に配置され、前記第１の複屈折板と同一の屈折率ｎｏ、ｎｅ及び板厚ｄを有する第３の複屈折板と、前記第２の複屈折板の光学軸に直交する光学軸を有し、前記第２の複屈折板と対向し且つ前記第３の複屈折板と隣接して前記光フィルタ素子の光射出面側に配置され、前記第１の複屈折板と同一の屈折率ｎｏ、ｎｅ及び板厚ｄを有する第４の複屈折板とを有していること特徴とする。
【００１８】
上記本発明の光フィルタにおいて、前記第１の複屈折板、前記光フィルタ素子及び前記第３の複屈折板を透過した光と前記第２の複屈折板、前記光フィルタ素子及び前記第４の複屈折板を透過した光との光路長が等しいことを特徴とする。
上記本発明の光フィルタにおいて、前記光フィルタ素子は誘電体多層膜であることを特徴とする。
上記本発明の光フィルタにおいて、前記光フィルタ素子は誘電体多層膜であることを特徴とする。
上記本発明の光フィルタにおいて、前記第１乃至第４の複屈折板は１／４波長板であることを特徴とする。
【００１９】
上記目的は、光を合分波する光フィルタ素子及び複数の複屈折板を有する光フィルタと、伝送された光を射出する第１の光伝送素子と、入射された光を伝送する第２の光伝送素子とを有していることを特徴とする光フィルタモジュールによって達成される。
【００２０】
上記本発明の光フィルタモジュールにおいて、前記光フィルタは請求項１乃至６のいずれか１項に記載の光フィルタであることを特徴とする。
上記本発明の光フィルタモジュールにおいて、前記光フィルタは前記第１の光伝送素子と前記第２の光伝送素子との間に配置されていることを特徴とする。
上記本発明の光フィルタモジュールにおいて、前記第１及び第２の光伝送素子は光ファイバであることを特徴する光フィルタモジュール。
上記本発明の光フィルタモジュールにおいて、前記光ファイバは光出力端のモードフィールド径が拡大していることを特徴する。
【００２１】
上記本発明の光フィルタモジュールにおいて、前記光ファイバはグレーデッドインデックス光ファイバが、単一モード光ファイバの光軸上に配置されていることを特徴する。
上記本発明の光フィルタモジュールにおいて、前記第１及び第２の光伝送素子は光導波路であることを特徴する。
上記本発明の光フィルタモジュールにおいて、前記光導波路の光出力端のコア層が拡大していることを特徴する。
上記本発明の光フィルタモジュールにおいて、前記第１の光伝送素子と前記光フィルタとの間、及び前記第２の光伝送素子と前記光フィルタとの間にさらにレンズを有していることを特徴する。
【００２２】
【発明の実施の形態】
本発明の一実施の形態による光フィルタ及び光フィルタモジュールについて図１乃至図６を用いて説明する。まず、本実施の形態による光フィルタ１の概略の構成について図１を用いて説明する。光フィルタ１は誘電体多層膜やフォトニック結晶等の光フィルタ機能を発揮する光フィルタ素子４を有している。さらに光フィルタ１は第１の複屈折板２及び第２の複屈折板３を有している。第１の複屈折板２及び第２の複屈折板３は隣接し、それぞれの光学軸が互いに直交するように光フィルタ素子４の光入射面に光学接着剤で接着されている。例えば第１の複屈折板２の光学軸は紙面に平行な方向に配置されており、第２の複屈折板３の光学軸は紙面に垂直な方向に配置されている。光フィルタ素子４の光射出面側は所定波長の光を透過させる基板５に光学接着剤で接着されている。第１の複屈折板２及び第２の複屈折板３は同一材料で形成されており、常光に対する屈折率はｎｏ、異常光に対する屈折率はｎｅである。第１の複屈折板２及び第２の複屈折板３は略同一の板厚ｄを有しており、当該板厚ｄは、２（ｎｏ−ｎｅ）ｄ＝（Ｍ＋１／２）λを満たしている。ここで、λは光の波長であり、Ｍは任意の整数である。光フィルタ１の光入射面は光路に直交し、第１の複屈折板２及び第２の複屈折板３が光ファイバ６の光射出口に対向するように光フィルタ１は配置されている。
【００２３】
次に、光フィルタ１の動作について説明する。光ファイバ６はコア層６ａ及びクラッド層６ｂを有している。光ファイバ６のコア層６ａ端面（光射出口）から射出した光の略半分は第１の複屈折板２に入射し、第１の複屈折板２を透過して光フィルタ素子４に入射する。光ファイバ６の光射出口から射出した残余の光は第２の複屈折板３に入射し、第２の複屈折板３を透過して光フィルタ素子４に入射する。
【００２４】
第１の複屈折板２に入射した光のうち、第１の複屈折板２の光学軸に平行な偏波成分の光（以下、光α１という）は第１の複屈折板２内を異常光として透過して光フィルタ素子４入射表面で一部が反射され、再び第１の複屈折板２を異常光として透過して光ファイバ６の光射出口から光ファイバ６内に進入する。ここで、光α１の第１の複屈折板２内での光路長はｎｅ×２ｄとなる。一方、第２の複屈折板３に入射した光のうち、第１の複屈折板２の光学軸に平行な偏波成分の光（以下、光α２という）は第２の複屈折板３内を常光として透過して光フィルタ素子４入射表面で一部が反射され、再び第２の複屈折板３を常光として透過して光ファイバ６の光射出口から光ファイバ６内に進入する。ここで、光α２の第２の複屈折板３内での光路長はｎｏ×２ｄになる。従って、光フィルタ素子４入射表面で反射した光α１及び光α２の光路差は２（ｎｏ−ｎｅ）ｄになる。このとき、光フィルタ１の第１の複屈折板２及び第２の複屈折板３は２（ｎｏ−ｎｅ）ｄ＝（Ｍ＋１／２）λを満たすように形成されているので、反射光は干渉して打ち消し合うため射出側光ファイバ６に結合しない。
【００２５】
第１の複屈折板２に入射した光のうち、第１の複屈折板２の光学軸に垂直な偏波成分の光（以下、光β１という）は第１の複屈折板２内を常光として透過して光フィルタ素子４入射表面で一部が反射され、再び第１の複屈折板２を常光として透過して光ファイバ６の光射出口から光ファイバ６内に進入する。ここで、光β１の第１の複屈折板２内での光路長はｎｏ×２ｄとなる。一方、第２の複屈折板３に入射した光のうち、第１の複屈折板２の光学軸に垂直な偏波成分の光（以下、光β２という）は第２の複屈折板３内を異常光として透過して光フィルタ素子４入射表面で一部が反射され、再び第２の複屈折板３を異常光として透過して光ファイバ６の光射出口から光ファイバ６内に進入する。ここで、光β２の第２の複屈折板３内での光路長はｎｅ×２ｄになる。従って、光フィルタ素子４入射表面で反射した光β１及び光β２の光路差は２（ｎｏ−ｎｅ）ｄになる。このとき、光フィルタ１の第１の複屈折板２及び第２の複屈折板３は２（ｎｏ−ｎｅ）ｄ＝（Ｍ＋１／２）λを満たすように形成されているので、反射光は干渉して打ち消し合うため射出側光ファイバ６に結合しない。
【００２６】
このように、本発明の光フィルタ１によれば、光フィルタ１に入射した光が光フィルタ素子４で反射しても、反射光同士で干渉して打ち消し合うため射出側光ファイバ６へ戻る反射光を大幅に減らすことができる。
【００２７】
以下、実施例を用いてより具体的に説明する。
［実施例１］
図２は本実施例による光フィルタ７及び光フィルタモジュール１４の概略の構成を示している。本実施例の光フィルタ７は光フィルタ機能を発揮する誘電体多層膜の光フィルタ素子１０を有している。さらに光フィルタ７は第１の水晶１／４波長板８及び第２の水晶１／４波長板９を有している。第１の水晶１／４波長板８及び第２の水晶１／４波長板９は隣接し、それぞれの光学軸が互いに直交するように光フィルタ素子１０の光入射面に光学接着剤で接着されている。例えば第１の水晶１／４波長板８の光学軸は紙面に平行な方向に配置されており、第２の水晶１／４波長板９の光学軸は紙面に垂直な方向に配置されている。光フィルタ素子１０は所定波長の光を透過させる基板１１上に成膜されている。第１の水晶１／４波長板８及び第２の水晶１／４波長板９は同一材料で形成されており、常光に対する屈折率はｎｏ、異常光に対する屈折率はｎｅである。第１の水晶１／４波長板８及び第２の水晶１／４波長板９は略同一の板厚ｄを有しており、当該板厚ｄは、２（ｎｏ−ｎｅ）ｄ＝（Ｍ＋１／２）λを満たしている。ここで、λは光の波長であり、Ｍは任意の整数である。
【００２８】
光フィルタモジュール１４は光フィルタ７に光を入射する第１の光伝送素子として例えば射出側光ファイバ１２を有している。射出側光ファイバ１２は単一モード光ファイバであり、コア層１２ａ及びクラッド層１２ｂを有している。さらに光フィルタモジュール１４は光フィルタ７を透過した光を受光するフォトダイオード１３を有している。射出側光ファイバ１２のコア層１２ａ端面（光射出口）とフォトダイオード１３の受光面は対向して配置され、両者の間に光フィルタ７が挿入されている。光フィルタ７の光入射面は光路と直交している。第１の水晶１／４波長板８及び第２の水晶１／４波長板９は射出側光ファイバ１２の光射出口に対向して配置されている。射出側光ファイバ１２の光射出口から射出した光の略半分は第１の水晶１／４波長板８に入射し、第１の水晶１／４波長板８を透過して光フィルタ素子１０に入射する。射出側光ファイバ１２の光射出口から射出した残余の光は第２の水晶１／４波長板９に入射し、第２の水晶１／４波長板９を透過して光フィルタ素子１０に入射する。
【００２９】
次に、光フィルタモジュール１４の動作について説明する。第１の水晶１／４波長板８に入射した光のうち、第１の水晶１／４波長板８の光学軸に平行な偏波成分の光（以下、光α１という）は第１の水晶１／４波長板８内を異常光として透過して光フィルタ素子１０入射表面で一部が反射され、再び第１の水晶１／４波長板８を異常光として透過して射出側光ファイバ１２の光射出口から射出側光ファイバ１２内に進入する。ここで、光α１の第１の水晶１／４波長板８内での光路長はｎｅ×２ｄとなる。一方、第２の水晶１／４波長板９に入射した光のうち、第１の水晶１／４波長板８の光学軸に平行な偏波成分の光（以下、光α２という）は第２の水晶１／４波長板９内を常光として透過して光フィルタ素子１０入射表面で一部が反射され、再び第２の水晶１／４波長板９を常光として透過して射出側光ファイバ１２の光射出口から射出側光ファイバ１２内に進入する。ここで、光α２の第２の水晶１／４波長板９内での光路長はｎｏ×２ｄになる。従って、光フィルタ素子１０入射表面で反射した光α１及び光α２の光路差は２（ｎｏ−ｎｅ）ｄになる。このとき、光フィルタ７の第１の水晶１／４波長板８及び第２の水晶１／４波長板９は２（ｎｏ−ｎｅ）ｄ＝（Ｍ＋１／２）λを満たすように形成されているので、反射光は干渉して打ち消し合うため射出側光ファイバ１２に結合しない。
【００３０】
第１の水晶１／４波長板８に入射した光のうち、第１の水晶１／４波長板８の光学軸に垂直な偏波成分の光（以下、光β１という）は第１の水晶１／４波長板８内を常光として透過して光フィルタ素子１０入射表面で一部が反射され、再び第１の水晶１／４波長板８を常光として透過して射出側光ファイバ１２の光射出口から射出側光ファイバ１２内に進入する。ここで、光β１の第１の水晶１／４波長板８内での光路長はｎｅ×２ｄとなる。一方、第２の水晶１／４波長板９に入射した光のうち、第１の水晶１／４波長板８の光学軸に垂直な偏波成分の光（以下、光β２という）は第２の水晶１／４波長板９内を異常光として透過して光フィルタ素子１０入射表面で一部が反射され、再び第２の水晶１／４波長板９を異常光として透過して射出側光ファイバ１２の光射出口から射出側光ファイバ１２内に進入する。ここで、光β２の第２の水晶１／４波長板９内での光路長はｎｏ×２ｄになる。従って、光フィルタ素子１０入射表面で反射した光β１及び光β２の光路差は２（ｎｏ−ｎｅ）ｄになる。このとき、光フィルタ７の第１の水晶１／４波長板８及び第２の水晶１／４波長板９は２（ｎｏ−ｎｅ）ｄ＝（Ｍ＋１／２）λを満たすように形成されているので、反射光は干渉して打ち消し合うため射出側光ファイバ１２に結合しない。
【００３１】
一方、第１の水晶１／４波長板８及び光フィルタ素子１０を透過した光α１と第２の水晶１／４波長板９及び光フィルタ素子１０を透過した光α２の光路差は、（ｎｏ−ｎｅ）ｄである。光フィルタ７の第１の水晶１／４波長板８及び第２の水晶１／４波長板９は２（ｎｏ−ｎｅ）ｄ＝（Ｍ＋１／２）λを満たすように形成されているため、光α１は光α２に対して相対的に１／４波長ずれる。また、第１の水晶１／４波長板８及び光フィルタ素子１０を透過した光β１と第２の水晶１／４波長板９及び光フィルタ素子１０を透過した光β２との光路差は、（ｎｏ−ｎｅ）ｄである。従って、光β１は光β２に対して相対的に１／４波長ずれる。このように、第１の水晶１／４波長板８の透過光は第２の水晶１／４波長板９の透過光に対して相対的に１／４波長ずれるが、フォトダイオード１３の受光面が光フィルタ７から透過した光の出射角より大きければ十分受光することができる。なお、フォトダイオード１３の代わりに高開口数の多モード光ファイバであっても当該透過光を十分受光することができる。
【００３２】
本実施例の光フィルタモジュール１４によれば、第１の水晶１／４波長板８を透過し光フィルタ素子１０入射表面で反射して再び第１の水晶１／４波長板８を透過した光は第２の水晶１／４波長板９を透過し光フィルタ素子１０入射表面で反射して再び第２の水晶１／４波長板９を透過した光と干渉して打ち消し合うため、光フィルタ７で反射した光の射出側光ファイバ１２への戻り量を大幅に減らすことができる。また、第１の水晶１／４波長板８の透過光と第２の水晶１／４波長板９の透過光は相対的に１／４波長ずれるが、フォトダイオード１３の受光面が光フィルタ７を透過した光の出射角より大きければ、透過光を受光することは十分可能である。
【００３３】
［実施例２］
本実施例による光フィルタ１５及び光フィルタモジュール１９について図３を用いて説明する。本実施例の光フィルタ１５は実施例１の光フィルタ７に対してさらに第３の水晶１／４波長板１６及び第４の水晶１／４波長板１７を配置した点に特徴を有している。さらに実施例１の光フィルタモジュール１４がフォトダイオード１３を備えているのに対して、本実施例の光フィルタモジュール１９は第２の光伝送素子として入射側光ファイバ１８を備えている点に特徴を有している。入射側光ファイバ１８は例えば単一モード光ファイバである。図３は、本実施例による光フィルタ１５及び光フィルタモジュール１９の概略の構成を示している。本説明において図１に示した実施例１による光フィルタ７及び光フィルタモジュール１４の構成要素及び同一の作用機能を奏する構成要素には同一の符号を付してその説明は省略する。
【００３４】
第３の水晶１／４波長板１６は第１の水晶１／４波長板８の光学軸に直交する光学軸を有し、第１の水晶１／４波長板８と対向して基板１１の光射出面側に光学接着剤で接着されている。第４の水晶１／４波長板１７は第２の水晶１／４波長板９の光学軸に直交する光学軸を有し、第２の水晶１／４波長板９と対向し且つ第３の水晶１／４波長板１６と隣接して基板１１の光射出面側に光学接着剤で接着されている。従って、第３の水晶１／４波長板１６の光学軸は紙面に垂直な方向に配置されており、第４の水晶１／４波長板１７の光学軸は紙面に水平な方向に配置されている。第１乃至第４の水晶１／４波長板８、９、１６、１７は同一材料で形成されており、常光に対する屈折率はｎｏ、異常光に対する屈折率はｎｅである。第１乃至第４の水晶１／４波長板８、９、１６、１７は略同一の板厚ｄを有しており、当該板厚ｄは、２（ｎｏ−ｎｅ）ｄ＝（Ｍ＋１／２）λを満たしている。ここで、λは光の波長であり、Ｍは任意の整数である。
【００３５】
光フィルタモジュール１９は射出側光ファイバ１２と入射側光ファイバ１８を有している。入射側光ファイバ１８はコア層１８ａ及びクラッド層１８ｂを有している。射出側光ファイバ１２と入射側光ファイバ１８のそれぞれの端面は対向し且つ中心軸が一致している。光フィルタ１５は射出側光ファイバ１２と入射側光ファイバ１８との間に設けられている不図示の溝に挿入されている。光フィルタ１５の光入射面は光路と直交している。第１の水晶１／４波長板８及び第２の水晶１／４波長板９は射出側光ファイバ１２の光射出口に対向して配置されている。第３の水晶１／４波長板１６及び第４の水晶１／４波長板１７は入射側光ファイバ１８のコア層１８ａ端面（光入射口）に対向して配置されている。射出側光ファイバ１２の光射出口から射出した光の略半分は第１の水晶１／４波長板８に入射し、第１の水晶１／４波長板８を透過して光フィルタ素子１０に入射する。射出側光ファイバ１２の光射出口から射出した残余の光は第２の水晶１／４波長板９に入射し、第２の水晶１／４波長板９を透過して光フィルタ素子１０に入射する。
【００３６】
次に、光フィルタモジュール１９の動作について説明する。射出側光ファイバ１２から射出した光が光フィルタ１５の光フィルタ素子１０で反射されて射出側光ファイバ１２に戻る過程は実施例１と同様である。従って、本実施例の光フィルタモジュール１９も光フィルタ１５で反射する光は射出側光ファイバ１２に結合しない。
【００３７】
第１の水晶１／４波長板８に入射した光のうち、第１の水晶１／４波長板８の光学軸に平行な偏波成分の光（以下、光α１という）は第１の水晶１／４波長板８内を異常光として透過して光フィルタ素子１０に入射する。光フィルタ素子１０を透過した光α１の一部は第３の水晶１／４波長板１６を常光として透過する。ここで、光α１の第１及び第３の水晶１／４波長板８、１６内での光路長は（ｎｅ＋ｎｏ）×ｄとなる。一方、第２の水晶１／４波長板９に入射した光のうち、第１の水晶１／４波長板８の光学軸に平行な偏波成分の光（以下、光α２という）は第２の水晶１／４波長板９内を常光として透過して光フィルタ素子１０に入射する。光フィルタ素子１０を透過した光α２の一部は第４の水晶１／４波長板１７を異常光として透過する。ここで、光α２の第２及び第４の水晶１／４波長板９、１７内での光路長は（ｎｏ＋ｎｅ）×ｄとなる。従って、光α１の光路長は光α２の光路長と等しく位相差が生じないため、光フィルタ１５の透過光は入射側光ファイバ１８に良好に結合できる。
【００３８】
第１の水晶１／４波長板８に入射した光のうち、第１の水晶１／４波長板８の光学軸に垂直な偏波成分の光（以下、光β１という）は第１の水晶１／４波長板８内を常光として透過して光フィルタ素子１０に入射する。光フィルタ素子１０を透過した光β１の一部は第３の水晶１／４波長板１６を異常光として透過する。ここで、光β１の第１及び第３の水晶１／４波長板８、１６内での光路長は（ｎｏ＋ｎｅ）×ｄとなる。一方、第２の水晶１／４波長板９に入射した光のうち、第１の水晶１／４波長板８の光学軸に垂直な偏波成分の光（以下、光β２という）は第２の水晶１／４波長板９内を異常光として透過して光フィルタ素子１０に入射する。光フィルタ素子１０を透過した光β２の一部は第４の水晶１／４波長板１７を常光として透過する。ここで、光β２の第２及び第４の水晶１／４波長板９、１７内での光路長は（ｎｅ＋ｎｏ）×ｄとなる。従って、光β１の光路長は光β２の光路長と等しく位相差が生じないため、光フィルタ１５の透過光は入射側光ファイバ１８に良好に結合できる。
【００３９】
本実施例の光フィルタモジュール１９によれば、第１の水晶１／４波長板８を透過し光フィルタ素子１０入射表面で反射して再び第１の水晶１／４波長板８を透過した光は第２の水晶１／４波長板９を透過し光フィルタ素子１０入射表面で反射して再び第２の水晶１／４波長板９を透過した光と干渉して打ち消し合うため、反射光は射出側光ファイバ１２に結合せず、光フィルタ１５で反射した光の射出側光ファイバ１２への戻り量を大幅に減らすことができる。また、光フィルタ１５を透過した光において、第１及び第３の水晶１／４波長板８、１６を透過した光と第２及び第４の水晶１／４波長板９、１７を透過した光の光路長は等しく位相差が生じないため、光フィルタ１５の透過光は入射側光ファイバ１８に良好に結合できる。
【００４０】
［実施例３］
本実施例による光フィルタ１５及び光フィルタモジュール２０について図４を用いて説明する。本実施例の光フィルタモジュール２０は射出側光ファイバ２１及び入射側光ファイバ２２がコア拡大光ファイバである点に特徴を有している。本説明において、図３に示した実施例２による光フィルタ１５及び光フィルタモジュール１９の構成要素及び同一の作用機能を奏する構成要素には同一の符号を付してその説明は省略する。
【００４１】
光フィルタモジュール２０は射出側光ファイバ２１と入射側光ファイバ２２とを有している。射出側光ファイバ２１はコア層２１ａ及びクラッド層２１ｂを有している。入射側光ファイバ２２はコア層２２ａ及びクラッド層２２ｂを有している。射出側光ファイバ２１と入射側光ファイバ２２とは、それぞれの端面が対向し且つ中心軸が一致してフェルールキャピラリ２３に接着固定されている。光フィルタ１５は射出側光ファイバ２１と入射側光ファイバ２２との間に設けられている不図示の溝に挿入されている。光フィルタ１５の光入射面は光路と直交している。第１の水晶１／４波長板８及び第２の水晶１／４波長板９は射出側光ファイバ２１のコア層２１端面（光射出口）に対向して配置されている。第３の水晶１／４波長板１６及び第４の水晶１／４波長板１７は入射側光ファイバ２２のコア層２２端面（光入射口）に対向して配置されている。射出側光ファイバ２１の光射出口から射出した光の略半分は第１の水晶１／４波長板８に入射し、第１の水晶１／４波長板８を透過して光フィルタ素子１０に入射する。射出側光ファイバ２１の光射出口から射出した残余の光は第２の水晶１／４波長板９に入射し、第２の水晶１／４波長板９を透過して光フィルタ素子１０に入射する。
【００４２】
次に、光フィルタモジュール２０の動作について説明する。射出側光ファイバ２１から射出された光が光フィルタ１５の光フィルタ素子１０で反射されて射出側光ファイバ２１に戻る過程、及び光フィルタ１５を透過した光が入射側光ファイバ２２に入射する過程は実施例２と同様である。従って、光フィルタモジュール２０は光フィルタモジュール１９と同様の効果を得ることができる。
【００４３】
ところで、コア拡大光ファイバから射出される光はモードフィールド径の拡大に伴って広がり角が小さくなり平行光に近付くため、光フィルタ１５の光学特性の劣化を減少させる効果を有している。従って、光フィルタモジュール１９に比べて光フィルタモジュール２０は光フィルタ１５で反射した光の射出側光ファイバ２１への戻り量をさらに減らすことができる。また光フィルタ１５の透過光は入射側光ファイバ２２にさらに良好に結合できる。
【００４４】
［実施例４］
本実施例による光フィルタ１５及び光フィルタモジュール２４について図５を用いて説明する。本実施例の光フィルタモジュール２４は射出側光ファイバ２５及び入射側光ファイバ２８が単一モード光ファイバ２６とグレーデッドインデックス光ファイバ２７が接合された光ファイバである点に特徴を有している。単一モード光ファイバ２６及びグレーデッドインデックス光ファイバ２７はそれぞれコア層２６ａ、２７ａ及びクラッド層２６ｂ、２７ｂを有している。本説明において、図３に示した実施例２による光フィルタ１５及び光フィルタモジュール１９の構成要素及び同一の作用機能を奏する構成要素には同一の符号を付してその説明は省略する。
【００４５】
射出側光ファイバ２５は光フィルタ１５に光を入射する射出口部がグレーデッドインデックス光ファイバ２７となるように形成されている。入射側光ファイバ２８は光フィルタ１５を透過した光が入射する入射口部がグレーデッドインデックス光ファイバ２７となるように形成されている。
【００４６】
光フィルタモジュール２４は射出側光ファイバ２５と入射側光ファイバ２８を有している。射出側光ファイバ２５と入射側光ファイバ２８とは、それぞれの端面が対向し且つ中心軸が一致してフェルールキャピラリ２３に接着固定されている。光フィルタ１５は射出側光ファイバ２５と入射側光ファイバ２８との間に設けられている不図示の溝に挿入されている。光フィルタ１５の光入射面は光路と直交している。第１の水晶１／４波長板８及び第２の水晶１／４波長板９は射出側光ファイバ２５のコア層２７ａ端面（光射出口）に対向して配置されている。第３の水晶１／４波長板１６及び第４の水晶１／４波長板１７は入射側光ファイバ２８のコア層２７ａ端面（光入射口）に対向して配置されている。射出側光ファイバ２５の光射出口から射出した光の略半分は第１の水晶１／４波長板８に入射し、第１の水晶１／４波長板８を透過して光フィルタ素子１０に入射する。射出側光ファイバ２５の光射出口から射出した残余の光は第２の水晶１／４波長板９に入射し、第２の水晶１／４波長板９を透過して光フィルタ素子１０に入射する。
【００４７】
次に、光フィルタモジュール２４の動作について説明する。射出側光ファイバ２５から射出された光が光フィルタ１５の光フィルタ素子１０で反射されて射出側光ファイバ２５に戻る過程、及び光フィルタ１５を透過した光が入射側光ファイバ２８に入射する過程は実施例２と同様である。従って、光フィルタモジュール２４は光フィルタモジュール１９と同様の効果を得ることができる。
【００４８】
ところで、グレーデッドインデックス光ファイバ２７を適切に設計することにより、グレーデッドインデックス光ファイバ２７から射出される光の広がり角を小さくし、平行光に近付けることができる。射出側光ファイバ２５は光の射出口部にグレーデッドインデックス光ファイバ２７を有しているため、光フィルタ１５には平行光に近い光が入射され、光フィルタ１５の光学特性の劣化が減少する。従って、光フィルタモジュール１９に比べて光フィルタモジュール２４は光フィルタ１５で反射した光の射出側光ファイバ２５への戻り量をさらに減らすことができる。また光フィルタ１５の透過光は入射側光ファイバ２８にさらに良好に結合できる。
【００４９】
［実施例５］
本実施例による光フィルタ１５及び光フィルタモジュール２９について図６を用いて説明する。本実施例の光フィルタモジュール２９は射出側光ファイバ１２と光フィルタ１５との間、及び光フィルタ１５と入射側光ファイバ１８との間にそれぞれレンズ３０を備えている点に特徴を有している。本説明において、図３に示した実施例２による光フィルタ１５及び光フィルタモジュール１５の構成要素及び同一の作用機能を奏する構成要素には同一の符号を付してその説明は省略する。
【００５０】
光フィルタモジュール２９は射出側光ファイバ１２と入射側光ファイバ１８を有している。射出側光ファイバ１２と入射側光ファイバ１８とは、それぞれの端面が対向し且つ中心軸が一致して備えられている。光フィルタ１５は射出側光ファイバ１２と入射側光ファイバ１８との間に設けられている不図示の溝に挿入されている。さらに、射出側光ファイバ１２と光フィルタ１５との間、及び光フィルタ１５と入射側光ファイバ１８との間にそれぞれレンズ３０、３１が備えられている。レンズ３０、３１の光軸は光路に一致するように配置されている。光フィルタ１５の光入射面は光路と直交している。第１の水晶１／４波長板８及び第２の水晶１／４波長板９はレンズ３０を介して射出側光ファイバ１２の光射出口に対向して配置されている。第３の水晶１／４波長板１６及び第４の水晶１／４波長板１７はレンズ３１を介して入射側光ファイバ１８の光入射口に対向して配置されている。射出側光ファイバ１２の光射出口から射出した光の略半分はレンズ３０を透過して第１の水晶１／４波長板８に入射し、第１の水晶１／４波長板８を透過して光フィルタ素子１０に入射する。射出側光ファイバ１２の光射出口から射出した残余の光はレンズ３０を透過して第２の水晶１／４波長板９に入射し、第２の水晶１／４波長板９を透過して光フィルタ素子１０に入射する。
【００５１】
次に、光フィルタモジュール２９の動作について説明する。射出側光ファイバ１２から射出された光が光フィルタ１５の光フィルタ素子１０で反射されて射出側光ファイバ１２に戻る過程、及び光フィルタ１５を透過した光が入射側光ファイバ１８に入射する過程は実施例２と同様である。従って、光フィルタモジュール２９は光フィルタモジュール１９と同様の効果を得ることができる。
【００５２】
ところで、レンズ３０は射出側光ファイバ１２の射出光を平行光にするため、光フィルタ１５の光学特性の劣化を減少させる効果を有している。従って、光フィルタモジュール１９に比べて光フィルタモジュール２９は光フィルタ１５で反射した光の射出側光ファイバ１２への戻り量をさらに減らすことができる。また、光フィルタ１５を透過した光はレンズ３１で収束されて入射側光ファイバ１８に入射するため、入射側光ファイバ１８にさらに良好に結合できる。
【００５３】
本発明は、上記実施の形態に限らず種々の変形が可能である。
上記実施形態の光フィルタモジュール１４、１９、２０、２４、２９では第１及び第２の光伝送素子は光ファイバであるが、本発明はこれに限られない。例えば、第１及び第２の光伝送素子は光導波路であっても同様の効果を得ることができる。さらに光導波路の光出力端のモードフィールド径が拡大していても同様の効果を得ることができる。
【００５４】
上記実施形態の光フィルタ７、１５は水晶１／４波長板を有しているが、本発明はこれに限られない。例えば、水晶１／４波長板の代わりに水晶１／４波長板と同様の機能を発揮する複屈折板を用いても同様の効果を得ることができる。
【００５５】
上記実施形態の光フィルタ７、１５では、２（ｎｏ−ｎｅ）ｄ＝（Ｍ＋１／２）λを満たすように第１乃至第４の水晶１／４波長板８、９、１６、１７は同一材料を同一の厚さｄに形成しているが、本発明はこれに限られない。例えば、光フィルタ７、１５は第１乃至第４の水晶１／４波長板８、９、１６、１７に代わって第１乃至第４の複屈折板を有しており、当該第１乃至第４の複屈折板は材料及び厚さが異なっていてもよい。第１の複屈折板を透過し光フィルタ素子１０入射表面で反射して再び第１の複屈折板を透過した光の光路長と第２の複屈折板を透過し光フィルタ素子１０入射表面で反射して再び第２の複屈折板を透過した光の光路長との差が相対的にλ／２に等しく、且つ第１の複屈折板、光フィルタ素子１０及び第３の複屈折板内の光路長が第２の複屈折板、光フィルタ素子１０及び第４の複屈折板内の光路長と等しければ、同様の効果を得ることができる。この場合、光フィルタ７、１５で反射した光の射出側光ファイバ１２への戻り量を大幅に減らすことができる。また、光フィルタ１５の透過光は入射側光ファイバ１８に良好に結合できる。
【００５６】
【発明の効果】
以上の通り、本発明によれば、透過波長特性の劣化が少なく、反射光を入力側に戻さない安価な光フィルタ及び光フィルタモジュールを実現できる。
【図面の簡単な説明】
【図１】本発明の一実施の形態による光フィルタ１の概略構成を説明する図である。
【図２】本発明の一実施の形態における実施例１として光フィルタ７及び光フィルタモジュール１４の概略構成を示す図である。
【図３】本発明の一実施の形態における実施例２として光フィルタ１５及び光フィルタモジュール１９の概略構成を示す図である。
【図４】本発明の一実施の形態における実施例３として光フィルタ１５及び光フィルタモジュール２０の概略構成を示す図である。
【図５】本発明の一実施の形態における実施例４として光フィルタ１５及び光フィルタモジュール２４の概略構成を示す図である。
【図６】本発明の一実施の形態における実施例５として光フィルタ１５及び光フィルタモジュール２９の概略構成を示す図である。
【図７】従来のＣＷＤＭシステムに使用される光フィルタモジュール３２の概略構成であって、図７（ａ）は光フィルタモジュール３２の構成例、図７（ｂ）は射出側光ファイバ３３から射出した射出光３８の波長特性例、図７（ｃ）はＮＢＰＦ３４の透過光４０の波長特性例、図７（ｄ）はＮＢＰＦ３４の反射光３９の波長特性例を示す図である。
【図８】従来のＣＷＤＭシステムに使用される光フィルタモジュール４３の概略構成であって、図８（ａ）は光フィルタ３４が斜めに挿入された状態の光フィルタモジュール４３の構成例、図８（ｂ）は射出側光ファイバ３３から射出した射出光４４の波長特性例、図８（ｃ）はＮＢＰＦ３４の透過光４２の波長特性例を示す図である。
【符号の説明】
１、７、１５、３４  光フィルタ
２  第１の複屈折板
３  第２の複屈折板
４、１０  光フィルタ素子
５、１１、３５  基板
６、１２、２１、２５、３３  射出側光ファイバ
６ａ、１２ａ、１８ａ、２１ａ、２２ａ、２６ａ、２７ａ  コア層
６ｂ、１２ｂ、１８ｂ、２１ｂ、２２ｂ、２６ｂ、２７ｂ  クラッド層
８  第１の水晶１／４波長板
９  第２の水晶１／４波長板
１３、３７  フォトダイオード
１４、１９、２０、２４、２９、３２、４３  光フィルタモジュール
１６  第３の水晶１／４波長板
１７  第４の水晶１／４波長板
１８、２２、２８、３７  入射側光ファイバ
２３  フェルールキャピラリ
２６  単一モード光ファイバ
２７  グレーデッドインデックス光ファイバ
３０、３１  レンズ
３６  誘電体多層膜
３８、４４  射出光
３９、４２  反射光
４０、４１  透過光
【図１】
2004264739.tif 000003
【図２】
2004264739.tif 000004
【図３】
2004264739.tif 000005
【図４】
2004264739.tif 000006
【図５】
2004264739.tif 000007
【図６】
2004264739.tif 000008
【図７】
2004264739.tif 000009
【図８】
2004264739.tif 000010